(57)【特許請求の範囲】
【請求項１】
測定光を走査して当該測定光が照射された物体からの反射光を検出することにより当該物体の方向及び距離を算出する測距装置が組み込まれドアの内側監視領域の移動体を検知する屋内センサと、前記ドアの外側監視領域の物体を検知する屋外センサと、前記ドアを開閉する開閉制御部と、を備えている自動ドア制御システムであって、
前記ドアの内側監視領域は予め設定された複数の異なる領域を含み、
前記開閉制御部による前記ドアの制御状態及び前記屋外センサによる物体の有無情報に基づいて、前記複数の異なる領域に対して個別に有効または無効に切り替えるとともに、前記複数の異なる領域の有効または無効状態、前記屋内センサにより検出される前記ドアの内側監視領域における移動体の動きを表す挙動情報及び前記屋外センサにより検出される物体の有無情報と前記開閉制御部による前記ドアの制御状態に基づいて前記ドアの開放または閉鎖を判断する開閉判断部を前記屋内センサに備え、
前記開閉制御部は前記開閉判断部から送信された開閉制御信号に基づいて前記ドアを開閉制御するように構成されている自動ドア制御システム。
【請求項２】
前記ドアの内側監視領域を構成する前記複数の異なる領域は、少なくとも一部の領域の重複が許容される請求項１記載の自動ドア制御システム。
【請求項３】
前記ドアの内側監視領域には、少なくとも、移動体を検知したときに前記ドアを開放するドア内側近接領域と、移動体を検知しても前記ドアの開放を禁止するドア内側悪戯検知領域と、前記ドア内側悪戯検知領域を囲み移動体を検知したときに前記ドアを開放する帯状領域と、が設定され、
前記開閉判断部は、前記ドア内側近接領域を有効に設定するとともに前記ドア内側悪戯検知領域及び前記帯状領域を無効に設定するか、前記ドア内側近接領域を無効に設定するとともに前記ドア内側悪戯検知領域及び前記帯状領域を有効にするかを切り替えるように構成されている請求項２記載の自動ドア制御システム。
【請求項４】
前記開閉判断部は前記測距装置で算出された物体の方向及び距離に基づいて求まる物体の移動方向及び／または物体の移動速度を含む物体の挙動に基づいて前記開閉制御信号を出力する請求項１から３の何れかに記載の自動ドア制御システム。
【請求項５】
前記開閉制御信号は前記ドアの開放速度及び開放幅が含まれる請求項１から４の何れかに記載の自動ドア制御システム。
【請求項６】
各センサ及び前記開閉制御部と通信可能に接続された通信制御部を備え、
監視領域及び前記開閉制御信号の初期値を設定する外部機器と接続可能なインタフェースを前記通信制御部に備えている請求項１から５の何れかに記載の自動ドア制御システム。
【請求項７】
請求項１から６の何れかに記載の自動ドア制御システムの屋内センサまたは屋外センサに用いられる測距装置であって、
測定光を監視領域に三次元的に走査して当該測定光が照射された物体からの反射光を検出することにより当該監視領域に存在する物体の方向及び距離を算出する測距部と、
前記測距部による移動体の検出結果と前記開閉制御部の制御状態に基づいて前記ドアの開放または閉鎖を判断して前記開閉制御部に前記開閉制御信号を出力する開閉判断部とを備えている測距装置。
【発明の詳細な説明】
【技術分野】
【０００１】
本発明は、ドアの内側監視領域の移動体を検知する屋内センサと、ドアの外側監視領域の物体を検知する屋外センサと、ドアを開閉する開閉制御部と、を備えている自動ドア制御システム及び当該ドア制御システムに用いられる測距装置に関する。
【背景技術】
【０００２】
特許文献１には、入室管理機能を備えたドア開閉システムにおいて、入室許可を受けていない部外者が、外部側からドアの周辺のすきまを通して長尺物等を内部に挿入し、内部検知センサをオンさせてドアを開き、内部へ不正入室するという不正行為を排除することを目的とした自動ドアの開閉装置が提案されている。
【０００３】
当該自動ドアの開閉装置は、ドアの外部から内部へと入室する人が入室許可者であるか否かを判定する入室許可判定手段と、ドアの内部から外部へと退室する人を検知する内部検知センサと、入室許可判定手段が人の入室を許可したとき、あるいは内部検知センサが人を検知したときにドアを開く入室管理機能を備え、内部検知センサの検知エリアがドアに沿って形成され、ドア近傍の人を検知する存在検知エリアと、その存在検知エリアよりも前記ドアから離れた内部側に形成されドアに接近する人を検知する接近検知エリアとからなり、ドアが閉じ位置にあるときドアにより近い存在検知エリアを無効とするように構成されている。
【０００４】
内部検知センサは、内部に投光素子と受光素子とからなる一対の素子のセットを区分けされた複数の監視エリアの数に対応する数だけ備えた床面反射タイプの光反射センサで構成され、区分けされた各監視エリアの床面からの反射光量が低下すると対応する監視エリアに人が進入したと検知される。
【０００５】
また、特許文献２には、ドアの屋内と屋外に配置されて物体からの検知波を検知する屋内外のセンサと、センサの検知に基づいてドアの開閉を制御する開閉制御部とを備え、屋内センサはドアに近いドア近傍検知エリアとドアから離れたドア遠方検知エリアとを有し、開閉制御部は、ドア閉時に屋外センサが検知状態のときに屋内センサがそのドア近傍検知エリアで物体を検知したとき、ドア閉を維持する閉維持手段と、ドア閉時に屋外センサが検知状態のときに屋内センサがそのドア遠方検知エリアで物体を検知したとき、ドアを開作動させる開作動手段と、を備えている自動ドア開閉装置が提案されている。
【０００６】
屋内外のセンサは、近赤外線を投光して物体から反射した近赤外線を受光して物体を検出するＡＩＲ方式のセンサであり、特許文献１と同様に内部に投光素子と受光素子とからなる一対の素子のセットを区分けされた複数の監視エリアの数に対応する数だけ備えて構成されている。
【先行技術文献】
【特許文献】
【０００７】
【特許文献１】特許第３６８２７４３号公報
【特許文献２】特許第３８１１７２４号公報
【発明の概要】
【発明が解決しようとする課題】
【０００８】
しかし、上述したような投光素子及び受光素子の対を分割された監視領域に対応する数だけ備える場合に、検出精度を上げるために監視領域を増やすと素子対の数が増えてセンサが大型になるという問題や、一つのセンサに組み込むことが可能な投光素子及び受光素子の対の数が物理的に制限されるため、分割された監視領域の大きさにも制限が生じ、あまり細かい領域に設定できないという問題があった。検出精度の向上とは、真にドアを開放する必要がある場合にのみドアを開放するように移動体の移動方向や移動速度等を判断基準に含めるような概念である。
【０００９】
また、センサの大型化を許容して投光素子及び受光素子の対の数を増やした場合でも、そのような数多くの受光素子から出力される多数の信号を受信して、その結果に基づいて自動ドアを開閉制御する開閉制御部を備える必要があり、信号線の数が増加するばかりでなく、各受光素子から出力される信号を夫々判断してドアの開閉判断を行なう必要があり高価で複雑な開閉制御部となるという問題があった。
【００１０】
さらに、建物毎に異なるドアの機械的サイズに対応して監視領域を設定するとともに、各監視領域に対応するように投光素子及び受光素子の対の光学的配置を個別に設計したセンサを製造する必要があり、煩雑な設計作業が必要となるばかりか部品の共用化が図れないという問題もあった。
【００１１】
そこで、センサの小型化と監視領域の細分化を図るために、測定光を監視領域に二次元的に走査して当該測定光が照射された物体からの反射光を検出することにより当該監視領域に存在する物体の方向及び距離を算出する測距装置を用いることが考えられる。
【００１２】
しかし、細分化された各監視領域に対応する信号つまり距離情報を測距装置から入力し、その距離情報に基づいてドアを開放するか否かを判断するように開閉制御部を構成する必要があり、大量のデータに対する演算負荷の増大に備えて高価な演算処理回路を採用する必要があるという問題もあった。
【００１３】
本発明の目的は、上述した問題点に鑑み、監視領域を細分化して移動体の検出精度を高めながらもセンサ及び開閉制御部の汎用化を図り安価に構成できる自動ドア制御システム及び測距装置を提供する点にある。
【課題を解決するための手段】
【００１４】
上述の目的を達成するため、本発明による自動ドア制御システムの第一の特徴構成は、特許請求の範囲の書類の請求項１に記載した通り、測定光を走査して当該測定光が照射された物体からの反射光を検出することにより当該物体の方向及び距離を算出する測距装置が組み込まれドアの内側監視領域の移動体を検知する屋内センサと、前記ドアの外側監視領域の物体を検知する屋外センサと、前記ドアを開閉する開閉制御部と、を備えている自動ドア制御システムであって、前記ドアの内側監視領域は予め設定された複数の異なる領域を含み、前記開閉制御部による前記ドアの制御状態及び前記屋外センサによる物体の有無情報に基づいて、前記複数の異なる領域に対して個別に有効または無効に切り替えるとともに、前記複数の異なる領域の有効または無効状態、前記屋内センサにより検出される前記ドアの内側監視領域における移動体の動きを表す挙動情報及び前記屋外センサにより検出される物体の有無情報と前記開閉制御部による前記ドアの制御状態に基づいて前記ドアの開放または閉鎖を判断する開閉判断部を前記屋内センサに備え、前記開閉制御部は前記開閉判断部から送信された開閉制御信号に基づいて前記ドアを開閉制御するように構成されている点にある。
【００１５】
屋内センサに備えた開閉判断部によりドアの開放または閉鎖の必要性の判断が行なわれて、その結果である開閉制御信号が屋内センサから開閉制御部に送信され、開閉制御部によってドアが単純に開閉制御される。本来的に演算処理能力の高い演算部を含む測距装置を備えた屋内センサ側で開閉判断されるので、屋内センサで得られた移動体の動きを表す挙動情報を含む大量のデータを開閉制御部で処理する場合に必要となる高価な信号線や高速で高価な演算処理回路が不要になる。また、ドアが閉じた状態であるか開いた状態であるかといったドアの制御状態と、屋外センサにより検知された物体の有無情報に基づいて、ドアが不正に開放される虞があるか否かが判断され、それに対応して屋内センサに備えた開閉判断部によってドアの内側監視領域に設定された異なる領域がそれぞれ有効または無効に切り替えられるので、ドアの不正開放などの行為が生じても各領域に対応して予め設定されたアルゴリズムにより適切に対処できる開閉判断部を実現できる。
【００１６】
同第二の特徴構成は、同請求項２に記載した通り、上述の第一の特徴構成に加えて、前記ドアの内側監視領域を構成する前記複数の異なる領域は、少なくとも一部の領域の重複が許容される点にある。
【００１７】
ドアの内側監視領域に一部を重複して複数の異なる領域に区画することにより、同じ領域であっても、例えばドアを開放するのかドアの開放を禁止するのかといったような機能を切り替えることができ、自動ドアが設置される環境に応じて柔軟に対応できるようになる。
【００１８】
同第三の特徴構成は、同請求項３に記載した通り、上述の第二の特徴構成に加えて、前記ドアの内側監視領域には、少なくとも、移動体を検知したときに前記ドアを開放するドア内側近接領域と、移動体を検知しても前記ドアの開放を禁止するドア内側悪戯検知領域と、前記ドア内側悪戯検知領域を囲み移動体を検知したときに前記ドアを開放する帯状領域と、が設定され、前記開閉判断部は、前記ドア内側近接領域を有効に設定するとともに前記ドア内側悪戯検知領域及び前記帯状領域を無効に設定するか、前記ドア内側近接領域を無効に設定するとともに前記ドア内側悪戯検知領域及び前記帯状領域を有効にするかを切り替えるように構成されている点にある。
【００１９】
ドア内側悪戯検知領域及び前記帯状領域が有効に設定されると、ドア内側悪戯検知領域で移動体が検知されても帯状領域で移動体が検知されなければドアが開放されることなく、ドア内側悪戯検知領域で移動体が検知されても帯状領域で移動体が検知されるとドアが開放される。つまり、ドア外側で不審者が不正行為を行なっているような場合でも、帯状領域に移動体が検知されるとドアが開放されるので、当該移動体が速やかにドアから外出できるようになる。ドア内側近接領域が有効に設定され、ドア内側近接領域に移動体が検知されると、ドア内側悪戯検知領域の状態にかかわらずドアが開放される。このような有効領域の切替がドアの制御状態と屋外センサにより検知された物体の有無情報に基づいて切り替えられる。
【００２０】
同第四の特徴構成は、同請求項４に記載した通り、上述の第一から第三の何れかの特徴構成に加えて、前記開閉判断部は前記測距装置で算出された物体の方向及び距離に基づいて求まる物体の移動方向及び／または物体の移動速度を含む物体の挙動に基づいて前記開閉制御信号を出力する点にある。
【００２１】
距離が予め想定された床面までの距離より短ければ移動体が存在すると判断でき、その移動体に対する距離が時系列的に変化すればその距離情報から移動速度が求まる。測定光に対する反射光の検出時間間隔を規定すればその検出時間間隔に対応する分解能で物体の挙動を把握することができ、複数の物体の挙動を精度よく検出することができるようになる。
【００２２】
同第五の特徴構成は、同請求項５に記載した通り、上述の第一から第四の何れかの特徴構成に加えて、前記開閉制御信号は前記ドアの開放速度及び開放幅が含まれる点にある。
【００２３】
開閉制御信号によりドアの開放速度や開放幅が制御されると、例えばドアの開放速度を増して開放幅を狭めることで空調の効いた屋内の環境の大きな変動を抑制したり、屋外からの土埃等の吹込みを抑制したりすることができ、空調や清掃のためのエネルギーロスも低減できるようになる。
【００２４】
同第六の特徴構成は、同請求項６に記載した通り、上述の第一から第五の何れかの特徴構成に加えて、各センサ及び前記開閉制御部と通信可能に接続された通信制御部を備え、監視領域及び前記開閉制御信号の初期値を設定する外部機器と接続可能なインタフェースを前記通信制御部に備えている点にある。
【００２５】
各センサ及び開閉制御部間で行われる通信が通信制御部を介した通信仕様に統一されるので、各センサ及び開閉制御部の汎用化によるコスト低減を実現でき、しかも通信制御部に備えたインタフェースを介して各センサの監視領域や開閉制御信号の初期値が設定できるので、それらを設置現場に応じた固有の値に自在に設定することができるようになる。
【００２６】
本発明による測距装置の特徴構成は、同請求項７に記載した通り、上述した第一から第六の何れかの特徴構成を備えた自動ドア制御システムの屋内センサまたは屋外センサに用いられる測距装置であって、測定光を監視領域に三次元的に走査して当該測定光が照射された物体からの反射光を検出することにより当該監視領域に存在する物体の方向及び距離を算出する測距部と、前記測距部による移動体の検出結果と前記開閉制御部の制御状態に基づいて前記ドアの開放または閉鎖を判断して前記開閉制御部に前記開閉制御信号を出力する開閉判断部とを備えている点にある。
【発明の効果】
【００２７】
以上説明した通り、本発明によれば、監視領域を細分化して移動体の検出精度を高めながらもセンサ及び開閉制御部の汎用化を図り安価に構成できる自動ドア制御システム及び測距装置を提供することができるようになった。
【図面の簡単な説明】
【００２８】
【図１】（ａ）は側方から視た自動ドア装置１の説明図、（ｂ）は屋内正面から視た自動ドア装置説明図、（ｃ）は屋内から俯瞰した自動ドア装置１の説明図
【図２】外部から悪戯操作する不審者の様子を示す自動ドア装置１の説明図
【図３】屋内センサ及び屋外センサを構成する測距装置の説明図
【図４】信号処理装置の機能ブロック構成図
【図５】（ａ）は位置ベクトルを示す側面図、（ｂ）は位置ベクトルを示す正面図、（ｃ）は移動体を示す位置ベクトルを説明する鳥瞰図
【図６】（ａ）は移動ベクトルの説明図、（ｂ）は投影ベクトルの説明図
【図７】第１境界面Ｆ１と第２境界面Ｆ２との間で仕切られる検出空間の説明図
【図８】（ａ）は検出空間の分割領域の説明図、（ｂ）は同平面視の説明図
【図９】（ａ）は通常モードで動的検知領域Ｒ４及びドア内側近接領域Ｒ１が有効に設定されドア内側悪戯検知領域Ｒ２及び帯状領域Ｒ３が無効に設定されたドアの内側監視領域Ｒｉの説明図、（ｂ）は悪戯検知モードで動的検知領域Ｒ４、ドア内側悪戯検知領域Ｒ２及び帯状領域Ｒ３が有効に設定されドア内側近接領域Ｒ１が無効に設定されたドアの内側監視領域Ｒｉの説明図
【図１０】自動ドア制御システムの機能ブロック構成図
【図１１】（ａ）から（ｆ）は自動ドア制御システムで遣り取りされる制御情報の説明図
【図１２】（ａ）は通常検知モードでの移動体の検知状態の説明図、（ｂ）は悪戯検知モードでの移動体の検知状態の説明図
【発明を実施するための形態】
【００２９】
以下、本発明が適用された自動ドア制御システム及び自動ドア制御システムに組み込まれる測距装置を説明する。
【００３０】
図１（ａ）には、側方から視た自動ドア装置１の要部が示され、図１（ｂ）には、屋内正面から視た自動ドア装置１の要部が示され、図１（ｃ）には、屋内から俯瞰した自動ドア装置１の要部が示されている。
【００３１】
自動ドア装置１は、床面Ｆに垂直な姿勢で開閉可能に支持された一対の扉体２ａ，２ｂと、扉体２ａ，２ｂを開閉駆動可能に吊下げ支持する支持機構３と、支持機構３を介して扉体２ａ，２ｂを開閉駆動する電磁モータを含む駆動機構４を備えている。以下の説明では「扉体２ａ，２ｂ」を単に「ドア２」とも記す。
【００３２】
当該自動ドア装置１のドア２を開閉制御するために自動ドア制御システム１０が構築されている。
図１０には自動ドア制御システム１０の機能ブロック構成が示されている。自動ドア制御システム１０は、ドア２の内側に設定された監視領域（ドアの内側監視領域（以下、「ドア内側監視領域」と記す。））Ｒｉに存在する移動体を検知する屋内センサ５と、ドア２の外側に設定された監視領域（ドアの外側監視領域（以下、「ドア外側監視領域」と記す。））Ｒｏに存在する不審者等の物体を検知する屋外センサ６と、ドア２を開閉する開閉制御部７を備えている。
【００３３】
開閉制御部７にはセキュリティ装置８及び電磁ロック機構９が接続されている。入館希望者が建物に入館する際にセキュリティ装置８に認証カードを挿入する等の操作を行ない、セキュリティ装置８で認証されると電磁ロック機構９で施錠されたドア２が開錠された後にモータが駆動されて開放されるように構成されている。屋外センサ６で物体が検知されなくなると入館者の入館完了と確認されてドア２が閉鎖された後に電磁ロック機構９で施錠される。
【００３４】
尚、セキュリティ装置８による認証方法は、認証カードに記録された認証コードを読み取り、予め登録されている認証コードと照合する方法、セキュリティ装置８に備えた数値キーを操作して入力された認証コードと予め登録されている認証コードと照合する方法、指紋入力部を備えて指紋照合する方法、瞳孔撮影部を備えて瞳孔照合する方法等の公知の認証方法を用いることができる。
【００３５】
また、電磁ロック機構９は電磁力を利用してドア２自体を機械的に施錠する機構で構成してもよいし、ドア２を開閉する電磁モータＭの回転を機械的に阻止するブレーキ機構等で構成してもよく、遠隔操作可能で電磁力を利用して機械的にドア２をロックし、人力による強制的なドア２の開放を阻止する機構であればどのような構成でもよい。
【００３６】
建物からの退館者のドア２への接近が屋内センサ５により検知されると、開閉制御部７によって電磁ロック機構９が開錠制御された後に電磁モータＭが駆動されてドア２が開放され、その後閉鎖されて再度施錠される。
【００３７】
このような自動ドア装置１及び自動ドア制御システム１０は、例えばオフィスビル或いはマンション等の集合住宅に構築され、ドア２の入口で認証された人のみが入館でき、入館した任意の人が自由に退出できるように構成されている。
【００３８】
しかし、図２に示すように、例えば建物の外部で閉鎖ドア２の隙間から棒切れ等が差し込まれると、屋内センサ５により棒切れ等が検知されて退館者がドア２に接近しているとの誤検知を招き、セキュリティ装置を設けているにもかかわらず不正侵入者に対してドア２が開放される虞がある。
【００３９】
また、棒切れ等による不正行為（悪戯）であるのか真に退出しようとしている人であるのかを正確に検知するために、屋内センサ５の分解能を上げるとそれに伴ってデータ量が増大して開閉制御部７の信号処理負荷の増大等、コストの上昇を来すことになる。
【００４０】
当該自動ドア制御システム１０では、建物毎に大きさ等が異なるドア２であっても、センサ及び開閉制御部の汎用化を図り安価に構成できるとともに、各ドア２に対応してカスタマイズでき、そのような不正侵入者の偽装行為を効果的に排除できるように構成されている。
【００４１】
屋内センサ５は、ケーシングとケーシング内に配置された測距装置を備えて構成されている。
図３に示すように、測距装置は、半導体レーザを備えた発光部５１と、発光部５１から出力された測定光を偏向走査する複数の偏向面５４（本実施形態では５つの偏向面５４）を備え、軸心Ｐ周りに回転する柱状体でなる回転多面鏡５３と、測定光が物体で反射された反射光を受光するアバランシェフォトダイオードでなる受光部５２と、信号処理部６０と、それらが収容された筐体５０で構成されている。
【００４２】
ケーシングには、測定光の走査面（図１（ａ）の符号Ｓ１〜Ｓｎ）が軸心Ｓ周りに回動するように筐体５０に取り付けられた揺動軸５５を揺動させる揺動機構が設けられ、監視領域Ｒｉ内で走査面がドア２と略平行な姿勢と、所定の傾斜角度をもった姿勢との間で往復揺動されるように構成されている。尚、屋外センサ６も同じ構造である。
【００４３】
図４には、測距装置に備えた信号処理部６０の機能ブロックが示されている。信号処理部６０は、モータ制御部６１と、位相検知部６２と、発光制御部６３と、測距演算部６４と、物体判定部６５と、移動体追跡部６６と、開閉判断部６７と、通信インタフェースである信号出力部６８と、メモリ６９等を備えている。各機能ブロックはマイクロコンピュータ及びその制御プログラム並びに周辺回路で実現されている。
【００４４】
モータ制御部６１は軸心Ｐ周りに回転多面鏡５３を所定速度で回転するとともに筐体５０を軸心Ｓ周りに揺動するようにそれぞれに備えたモータを駆動制御し、位相検知部６２はモータ制御部６１により回転駆動される回転多面鏡５３の回転位相つまり基準位置に対する回転角度と揺動機構による揺動角度を検知する。位相検知部６２は、例えばモータまたは回転多面鏡２２の回転軸及び揺動機構の回転軸に設置されるエンコーダ等で構成することができる。
【００４５】
発光制御部６３は所定周期で発光部５１をパルス状に点滅駆動し、測距演算部６４は発光部５１の発光タイミングと受光部５２で検知された反射光の受光タイミングとの時間差に基づいて、測距装置から測定光を反射した物体までの距離を算出する。
【００４６】
即ち、測距演算部６４は、以下の数式に示すように、測定光と反射光との検出時間差Δｔに基づいて、測距装置から物体までの距離Ｄｓを算出する。尚、数式中、Ｃは光速である。
Ｄｓ＝Δｔ・Ｃ／２
【００４７】
さらに、測距演算部６４は位相検知部６２で検知された回転多面鏡５３の回転位相と筐体５０の揺動角度に基づいて、このとき検出された物体までの方向Ｄｒを算出する。当該距離Ｄｓと方向Ｄｒによって測距装置を基準点とした位置ベクトルが得られる。
【００４８】
図５（ａ）に示すように、床面ＦがＺ＝０とするＸＹ基準面になり、扉体２ａ，２ｂが配置される平面が参照面となるＸＹＺ３次元直交空間に対して、屋内センサ５は、ＸＹ基準面と所定角度（ここでは直角である例を示すが、直角に限らない）で交差する参照面または当該参照面の近傍で、ＸＹ基準面からＺ方向に離隔した位置に設置されている。
【００４９】
そして、屋内センサ５は測定光の照射方向とＸＹ基準面とが交差するように測定光を走査し、当該測定光が照射された物体からの反射光を検出するように構成されている。
【００５０】
図５（ａ）には、測距演算部６４で算出された物体の位置ベクトルＶｉｊが示されている。図５（ａ）に示すように、屋内センサ５から物体に向けて出射される測定光の走査面と参照面との角度をθｉとし、図５（ｂ）に示すように、走査面上で中央に位置する走査光と任意の走査光との角度をφｊとし、物体までの距離をＤｓｉｊとし、屋内センサ５を始点（基準点）とする位置ベクトルＶｉｊの終点のＸ，Ｙ，Ｚ座標（図５（ａ），（ｂ），（ｃ）中、○印で示された点）を（ｘｉｊ，ｙｉｊ，ｚｉｊ）とすると、その値が以下の数式で求められる。尚、測距装置２の設置高さは、Ｚ＝Ｈに設定されている。即ち、測距演算部６４は、測定光及び物体からの反射光に基づいて物体の位置ベクトルを算出する演算部となる。
ｘｉｊ＝Ｄｓｉｊ・ｓｉｎφｊ
ｙｉｊ＝Ｄｓｉｊ・ｓｉｎθｉ・ｃｏｓφｊ
ｚｉｊ＝Ｈ−Ｄｓｉｊ・ｃｏｓθｉ・ｃｏｓφｊ
【００５１】
以下に屋内センサ５により検出される物体の検出アルゴリズムの基本を説明する。ここでは、図４に示した物体判定部６５は特に機能せず、測距演算部６４からの入力が移動体追跡部６６にそのまま出力されるものとして説明する。
【００５２】
図６（ａ）に示すように、時刻ｔで算出された位置ベクトルをＶｉｊ（ｔ）、時刻（ｔ＋Δｔ）で算出された位置ベクトルをＶｉｊ（ｔ＋Δｔ）とする。移動体追跡部６６は、時刻ｔから時刻（ｔ＋Δｔ）の間の物体の移動ベクトルＭｉｊを以下の数式で算出する。本実施形態ではΔｔ＝５０ｍｓｅｃ．であるが、この値に限られるものではない。
Ｍｉｊ＝Ｖｉｊ（ｔ＋Δｔ）−Ｖｉｊ（ｔ）
【００５３】
移動体追跡部６６で算出された移動ベクトルＭｉｊによって移動体の移動方向及び移動距離が示され、移動距離を時間Δｔで除することによって移動体の移動速度が求まる。
【００５４】
即ち、移動体追跡部６６は、時系列的に測距演算部６４で算出された二つの位置ベクトルＶｉｊ（ｔ＋Δｔ），Ｖｉｊ（ｔ）に基づいて物体の移動ベクトルＭｉｊを算出する演算部となる。
【００５５】
移動体追跡部６６によって算出された物体の移動ベクトルＭｉｊ、具体的に、扉体２に対する移動体の移動方向と移動速度が開閉判断部６７に入力される。
【００５６】
図６（ｂ）に示すように、移動体追跡部６６は、上式に基づいて算出した移動ベクトルＭｉｊを当該移動ベクトルの始点または終点の何れかを含むＸＹ基準面に平行な平面へ投影して得られる投影ベクトルを当該物体の移動ベクトルとして生成するように構成されていてもよい。投影ベクトルによって、移動体のＸＹ基準面からの高さと、水平方向の移動方向と移動距離または移動速度が把握でき、参照面に到達する時間と到達位置が二次元の簡易な演算処理で精度よく捕捉できるようになる。
【００５７】
また、移動体追跡部６６は、移動体を時間Δｔで追跡しながら、時間Δｔよりも長い時間の移動ベクトルを算出してもよい。例えば、同じ物体の時刻ｔ、ｔ＋Δｔ、ｔ＋２Δｔ、ｔ＋３Δｔ（直近）の４回の位置ベクトルに対して、時刻ｔと時刻（ｔ＋３Δｔ）の間の移動ベクトルを算出すれば、移動方向及び移動速度の平均値が求まり、瞬時的なノイズの影響が排除される結果、精度が良くなる。
【００５８】
以上が屋内センサ５により検出される物体の検出アルゴリズムの基本であるが、実際には、検知された物体が自動ドアの開閉を制御するのに必要な人等の真の検出対象ではなく、犬や猫等の小動物や鳥類である可能性もある。そのような場合に扉体２を開閉するのは好ましくない。
【００５９】
そこで、距離演算部６４には、このようなノイズ源となる検出対象を除去するためのフィルタ処理部が設けられている。以下に説明する。
【００６０】
図７に示すように、測距演算部６４は、ＸＹ基準面からＺ方向に第１距離ｈ１離隔した第１境界面Ｆ１と、屋内センサ５からＸＹ基準面に向けて第２距離ｈ２離隔した第２境界面Ｆ２との間の検出空間に存在する物体に対して位置ベクトルを算出するように構成されている。
【００６１】
このように構成されると、第１距離ｈ１より低い位置での移動体の接近によってドア２が開閉されることが回避される。例えば、第１距離ｈ１を３５０ｍｍに設定することにより、小動物等を検出対象から排除することができる。例えば建物の外部で閉鎖ドア２の床面近傍の隙間から棒切れ等が差し込まれてもそのような棒切れを検出対象から排除することができる。また、第２距離ｈ２を３００ｍｍに設定することにより、通常存在することが無い測距装置２の近傍の移動体を排除することができる。第１距離ｈ１及び第２距離ｈ２の具体的数値は例示に過ぎずこの値に限らない。除去すべき対象に応じて適宜設定すればよい。
【００６２】
測距演算部６４で算出された位置ベクトルが蜂やハエ等の昆虫であったり、鳥類であったり、雪や雨等の自然現象であったりする場合の誤検出を防止するための処理手順を説明する。
【００６３】
図８（ａ），（ｂ）に示すように、ＸＹＺ３次元空間を少なくともＸ方向及びＹ方向に沿って複数領域に分割する（図中の格子は分割された各領域が示されている）。物体判定部６５は、５０ｍｓｅｃ．の走査周期で測距演算部６４によって算出された各位置ベクトルについて、その終点が少なくとも２回連続して同じ分割領域に位置するか否かを判断し、連続して同じ分割領域に終点が位置する位置ベクトルであれば、飛来する昆虫や雪等の自然降下物ではないと判別する。つまり、物体判定部６５は、時系列的に連続して位置ベクトルの終点が含まれる分割領域に検出対象となる物体が存在する確率が高いと判別する。
【００６４】
次に、物体判定部６５は、当該物体が存在すると判別した分割領域がＸＹ方向に所定数近接する場合に当該物体が検出対象となる所定の大きさの同一の物体であると判別してそれらの位置ベクトルをグループ化する。
【００６５】
所定数とは、人であることの確からしさを示す値で、断面が１０ｃｍ角の分割領域では少なくとも２領域が近接していれば、人の腕程度の幅であると判定できるので、この例では２に設定している。この値は、分割領域のサイズと検出対象物のサイズに基づいて決定される値で、少なくとも検出対象物のサイズを分割領域のサイズで除した値より小さな値に設定される。
【００６６】
また、近接とは、物体が存在すると判別した分割領域がＸＹ平面視で縦、横、斜めに隣接して存在する態様や、数領域だけ隔てて存在する態様を含む。数領域とは、分割領域のサイズと検出対象物のサイズや測距装置の走査密度により適宜設定される領域数であり、測距装置の走査密度を高めることによりゼロにできることが望ましい。
【００６７】
図９（ａ），（ｂ）には、屋内センサ５により監視されるドア内側監視領域Ｒｉと屋外センサ６によって監視されるドア外側監視領域Ｒｏが示されている。屋内センサ５及び屋外センサ６により監視可能な範囲が図中、升目で示されている。これらの範囲の内部にドア内側監視領域Ｒｉ及びドア外側監視領域Ｒｏが設定される。一つの升目のサイズは１００ｍｍ×１００ｍｍであり、物体判定部６５(図４参照)によって判定された移動体の有無が当該升目単位で表される。ドア外側監視領域Ｒｏは、ドア２の外側近傍に沿った矩形領域に設定されている。
【００６８】
ドア内側監視領域Ｒｉには、移動体を検知したときに直ちにドア２を開放するドア内側近接領域Ｒ１と、移動体を検知してもドア２の開放を禁止するドア内側悪戯検知領域Ｒ２と、ドア内側悪戯検知領域Ｒ２を囲み移動体を検知したときに直ちにドア２を開放する帯状領域Ｒ３と、移動体の移動方向や移動速度に基づいてドア２を開放する必要があるか否かを判断するための動的検知領域Ｒ４が設定されている。
【００６９】
ドア内側近接領域Ｒ１はドア２の内側近傍に沿ってドア２の幅と同等の幅を有する矩形領域であり、ドア内側悪戯検知領域Ｒ２はドア２の内側近傍に沿ってドア内側近接領域Ｒ１の幅よりも狭くかつ奥行きが長い領域であり、帯状領域Ｒ３はドア内側悪戯検知領域Ｒ２を囲む帯状の領域であり、動的検知領域Ｒ４は上述した３領域よりも幅広で奥行きも長い矩形領域である。
【００７０】
図９（ａ）には、動的検知領域Ｒ４及びドア内側近接領域Ｒ１が有効（実線で表示）に設定されるとともにドア内側悪戯検知領域Ｒ２及び帯状領域Ｒ３が無効（破線で表示）に設定された状態が示され、図９（ｂ）には、動的検知領域Ｒ４、ドア内側悪戯検知領域Ｒ２及び帯状領域Ｒ３が有効（実線で表示）に設定されるとともにドア内側近接領域Ｒ１が無効（破線で表示）に設定された状態が示されている。「領域が有効に設定される」と当該領域に割り当てられた機能が有効になり、「領域が無効に設定される」と当該領域に割り当てられた機能が無効になる。ドア内側近接領域Ｒ１とドア内側悪戯検知領域Ｒ２とは目的が異なるため、ドア２の近傍であるが、夫々独立して任意の領域を設定することができる。
【００７１】
図１０には、既に説明したように、自動ドア制御システム１０の機能ブロック構成が示されている。自動ドア制御システム１０は、屋内センサ５と、屋外センサ６と、開閉制御部７と、各センサ５，６及び開閉制御部７と通信可能に接続された通信制御部ＣＵを備え、夫々が２線式半二重シリアル通信線（ＲＳ４８５）で接続されている。
【００７２】
通信制御部ＣＵは、主に各センサ５，６と開閉制御部７との間のデータの送受信を制御するように構成され、さらにデータ設定用端末ＴＭと接続可能なＵＳＢインタフェース及びＢｌｕｅｔｏｏｔｈ（登録商標）インタフェースを備えている。
【００７３】
データ設定用端末ＴＭとしてタブレットＰＣやスマートフォンが用いられ、外部機器から上述した監視領域Ｒｉ，Ｒｏ及び後述する開閉制御信号の初期値が通信制御部ＣＵを介して各センサ５，６や開閉制御部７に送信されるように構成されている。
【００７４】
通信制御部ＣＵは、各センサ５，６及び開閉制御部７に対して所定のインタバル、例えば５０ｍ秒間隔で順番にデータ送信要求を出力し、データ送信要求に応答して各センサ５，６及び開閉制御部７から返信されたデータをメモリに格納する。
【００７５】
そして、通信制御部ＣＵは、メモリに格納したデータのうち各センサ５，６及び開閉制御部７が必要とするデータを、各センサ５，６及び開閉制御部７に対するデータ送信要求時に送信するように構成されている。
【００７６】
図１１（ａ）から（ｆ）には、通信制御部ＣＵを介して送受信される具体的なデータが示されている。
屋外センサ６から通信制御部ＣＵにドア外側監視領域Ｒｏに不審者等の物体が存在するか否かを示す「屋外移動体存否情報」が送信され、通信制御部ＣＵから屋外センサ６に「ドア外側監視領域Ｒｏ情報」が送信される。
【００７７】
開閉制御部７から通信制御部ＣＵに、ドアロックの状態を示す「ロック状態情報」と、ドア２の制御状態を示す「モータ状態情報」（具体的に、「ドア駆動方向情報」、「ドア停止情報」、「ドア開限情報」、「ドア閉限情報」の４種類の情報）が送信され、通信制御部ＣＵから開閉制御部７に、ドア２に対する「起動情報」として「起動指令」、「開速度情報（高、中、低、閉）」、「開幅情報（開度）」が送信される。尚、括弧内は、パラメータが示されている。
【００７８】
「ドア駆動方向情報」でドアの駆動方向が示され、「ドア停止情報」でドアが停止しているか動いているかが示され、「ドア開限情報」でドアが開放された状態か否かが示され、「ドア閉限情報」でドアが閉塞された状態か否かが示される。
【００７９】
「起動指令」でドアの開閉が起動されることが示され、「開速度情報（高、中、低、閉）」でドア開放か閉鎖かの方向、開放時にはその速度（ドア閉鎖時は一定速度）が示され、「開幅情報（全開、全閉）」でドアを開くときの最大開放幅が示される。
【００８０】
屋内センサ５から通信制御部ＣＵに、「センサ検出状態情報」として、「開速度情報（高、中、低、閉）」、「開幅情報（開度）」、「検出波形」、「ドア内側近接領域Ｒ１移動体存否情報」が送信され、通信制御部ＣＵから屋内センサ５に、「ロック状態情報」、「モータ状態情報」（具体的に、「ドア駆動方向情報」、「ドア停止情報」、「ドア開限情報」、「ドア閉限情報」の４種類の情報）が送信される。
【００８１】
屋内センサ５に備えた開閉判断部６７は、通信制御部ＣＵから送信された「ロック状態情報」でドアがロックされた状態であり、「ドア閉限情報」でドアが全閉された状態であり、「屋外移動体存否情報」でドア外側近傍に物体（この場合、静止体）が存在すると判断すると悪戯検知モードに移行して、図９（ｂ）に示したように動的検知領域Ｒ４、ドア内側悪戯検知領域Ｒ２及び帯状領域Ｒ３を有効に設定するとともにドア内側近接領域Ｒ１を無効に設定し、上述の条件の何れかが満たされない場合には通常検知モードに移行して図９（ａ）に示したように動的検知領域Ｒ４及びドア内側近接領域Ｒ１を有効に設定するとともにドア内側悪戯検知領域Ｒ２及び帯状領域Ｒ３を無効に設定する。
【００８２】
図１２（ａ）は通常検知モード、図１２（ｂ）は悪戯検知モードの動作を説明する図である。図１２（ｂ）に示すように、開閉判断部６７は、悪戯検知モードになるとドア内側悪戯検知領域Ｒ２で移動体が検知されても、ドア２の外部の不審者による悪戯と判断してドアの開放を阻止する。尚、ドア内側悪戯検知領域Ｒ２を監視対象領域から実質的に除外して、移動体自体の検出を行なわないように動作することによっても同様の結果となる。
【００８３】
仮にドア内側悪戯検知領域Ｒ２で移動体が検知されていても、物体判定部６５または移動体追跡部６６によって帯状領域Ｒ３に移動体が存在することが検知されると、開閉判断部６７は悪戯検知モードであってもドア２を開放すると判断して、通信制御部ＣＵに「開速度情報」、「開幅情報」、「ドア内側移動体存否情報」を送信し、通信制御部ＣＵを介して当該情報を受信した開閉制御部７によってドア２が開放される。
【００８４】
悪戯検知モードと通常検知モードの何れのモードであっても、移動体追跡部６６によって動的検知領域Ｒ４で検知された移動体がドア２に向かって移動していると判断されると、開閉判断部６７は移動体がドア２近傍に接近するまでにドア２を開放するように通信制御部ＣＵに「開速度情報」、「開幅情報」、「ドア内側移動体存否情報」を送信し、通信制御部ＣＵを介して当該情報を受信した開閉制御部７によってドア２が開放される。つまり、移動体がドア２に到着した時点でドアから退出可能なように、移動体の速度及び移動方向に応じて「開速度情報（高、中、低、閉）」及び「開幅情報（開度）」を調整する。
【００８５】
開閉判断部６７は、動的検知領域Ｒ４で検知された移動体がドア２に向かう場合を除いてドアを開放することがないが、通常検知モードに移行した後、物体判定部６５または移動体追跡部６６によってドア内側近接領域Ｒ１に移動体が検知されると、当該移動体が静止しているか移動しているかに関わらずドア２を開放するように、通信制御部ＣＵに「開速度情報」、「開幅情報」、「ドア内側移動体存否情報」を送信し、通信制御部ＣＵを介して当該情報を受信した開閉制御部７によってドア２が開放される。
【００８６】
開閉判断部６７は、ドア２を開放した後にドア内側近接領域Ｒ１に移動体が検知されず、動的検知領域Ｒ４でもドア２に向かう移動体が検知されず、しかもドア外側監視領域Ｒｏに移動体が検知されない場合に、ドア２を閉鎖するように、通信制御部ＣＵに「開速度情報（閉）」を送信し、通信制御部ＣＵを介して当該情報を受信した開閉制御部７によってドア２が閉鎖される。
【００８７】
開閉制御部７はドア２を閉鎖した後、所定時間起動情報が発生しない場合には、電磁ロック機構９を制御してドア２をロックする。
【００８８】
尚、自動ドア制御システム１０が設置された建物へ入館する場合には、セキュリティ装置８を介して認証情報を入力する必要があり、セキュリティ装置８で認証されると、ドア開要求が開閉制御部７に入力され、ドア２が開放される。その後は、上述したように開閉判断部６７から通信制御部ＣＵへの「開速度情報（閉）」に基づいて開閉制御部７によってドア２が閉鎖される。
【００８９】
以上説明したように、当該自動ドア制御システム１０は、屋内センサ５による移動体の挙動情報及び屋外センサ６による物体の有無情報と開閉制御部７によるドアの制御状態に基づいてドア２の開放または閉鎖を判断する開閉判断部６７を屋内センサ５に備え、開閉制御部７は開閉判断部から送信された開閉制御信号に基づいてドア２を開閉制御するように構成されている。
【００９０】
そして、開閉判断部６７は開閉制御部７によるドア２の制御状態及び屋外センサ６による物体の有無情報に基づいてドア内側監視領域Ｒｉを切り替えるように構成されている。
【００９１】
従って、本来的に演算処理能力の高い屋内センサ５側で開閉判断されるので、屋内センサ５で得られた移動体に関する大量のデータを開閉制御部７で処理する場合に必要となる高価な信号線や高速で高価な演算処理回路が不要になる。
【００９２】
上述の自動ドア制御システム１０は、設置環境によってドア内側監視領域Ｒｉ及びドア外側監視領域Ｒｏが異なり、また「モータ状態情報」のパラメータも適正な値に設定する必要がある。
【００９３】
そのため、通信制御部ＣＵに備えたＵＳＢインタフェースまたはＢｌｕｅｔｏｏｔｈ（登録商標）インタフェースを介して接続されたタブレットＰＣ等によって、監視領域Ｒｉ，Ｒｏ及び開閉制御信号となる「モータ状態情報」の各パラメータの初期値が入力されて通信制御部ＣＵを介して各センサ５，６や開閉制御部７に送信されるように構成されている。
【００９４】
以下、本発明の別実施形態を説明する
上述の実施形態では、ＴＯＦ方式の測距装置を例示したが、測定光の強度をＡＭ変調するＡＭ方式の測距装置を採用することも可能である。また、光源としてレーザダイオードに替えてＬＥＤを用いることも可能である。
【００９５】
ＡＭ方式とは、測定光の強度が振幅変調され、監視対象領域に向けて出力した測定光と、測定光に対する物体からの反射光との位相差Δφに基づいて、測距装置から物体までの距離Ｄｓを、以下の数式に基づいて算出する方式である。数式中、Ｃは光速、ｆは変調周波数である。
Ｄ＝Δφ・Ｃ／（４π・ｆ）
【００９６】
さらに、ＡＭ方式とＴＯＦ方式を組み合わせて、振幅変調された測定光をパルス状に発光させて、測定光に対する反射光の遅延時間及び位相差に基づいて測距する方式であってもよい。尚、この場合、変調波の波長より短い距離が位相差に基づいて算出され、変調波の波長より長い距離が遅延時間に基づいて算出される。
【００９７】
測距装置は図３に示した構成に限るものではなく、監視領域に対して測定光を三次元的に走査可能な任意の公知の構成を採用することができる。
【００９８】
以上、屋内センサ５及び屋外センサ６の双方が測距装置で構成される例を説明したが、屋外センサ６はドア２の外側に設定された監視領域（ドア外側監視領域）Ｒｏに存在する不審者の有無、つまり静止体（物体）を検知できればよいので測距装置で構成される必要はない．しかし、屋内センサ５及び屋外センサ６の双方を同一の測距装置で構成し、屋内センサ５として機能させるか屋外センサ６として機能させるかを通信制御部ＣＵを介した初期設定で切り替えるように構成すれば部品の共用化によるコストの低減を図ることができる。
【００９９】
上述した様々な実施形態は何れも本発明の一例であり、屋内／屋外センサを含めて自動ドア制御システムを構成する各制御ブロックのサイズや形状等の具体的構造、信号処理部の具体的な回路構成、信号処理手順を遂行するソフトウェアの具体的な構成等は、本発明による作用効果を奏する範囲において適宜変更設計できることはいうまでもなく、本発明の技術的範囲が上述の例に限定されるものではない。
【符号の説明】
【０１００】
１：自動ドア装置
２：ドア
２ａ，２ｂ：扉体
３：支持機構
４：駆動機構
５：屋内センサ
６：屋外センサ
７：開閉制御部
８：セキュリティ装置
９：電磁ロック機構
１０：自動ドア制御システム
６０：信号処理部
６７：開閉判断部
Ｒｉ：ドア内側監視領域
Ｒｏ：ドア外側監視領域
【図１】
0006676295.tif 000002
【図２】
0006676295.tif 000003
【図３】
0006676295.tif 000004
【図４】
0006676295.tif 000005
【図５】
0006676295.tif 000006
【図６】
0006676295.tif 000007
【図７】
0006676295.tif 000008
【図８】
0006676295.tif 000009
【図９】
0006676295.tif 000010
【図１０】
0006676295.tif 000011
【図１１】
0006676295.tif 000012
【図１２】
0006676295.tif 000013